(57)【要約】【課題】  印刷ジョブを受信したときの通信プロトコルによっては、印刷設定を受信できないため、画像形成装置が管理する印刷設定を有効にして画像形成を行っていた。そのため、印刷ジョブ送信者が期待しない印刷設定が有効になってしまうことがあった。【解決手段】  画像形成装置は印刷ジョブをどの通信プロトコルを介して受信したかを判定する。また、画像形成装置が管理する印刷設定が初期設定から変更されているか否かを判定する。通信プロトコルがＬＰＤ、かつ印刷設定が変更されていた場合は、画像形成指示があるまで画像形成を開始しない。【選択図】  図７
2010143164.tif 000002
【特許請求の範囲】
【請求項１】
印刷設定を変更可能である画像形成装置であって、
印刷ジョブを受信する受信手段（Ｓ５００）と、
前記印刷ジョブをどの通信プロトコルを介して受信したかを判定する第一の判定手段（Ｓ５１０）と、
前記画像形成装置が管理する印刷設定が初期設定から変更されているか否かを判定する第二の判定手段（Ｓ５１０）と、
前記印刷ジョブを特定の通信プロトコルを介して受信した場合かつ前記印刷設定が初期設定から変更されている場合は前記印刷ジョブを記憶装置に格納して画像形成を開始しない非開始手段（Ｓ５２０）と、
画像形成を開始していないことを表示する表示手段（Ｓ５３０、７０１）と、
画像形成を開始する開始手段（Ｓ５５０）と、
を有することを特徴とする画像形成装置。
【請求項２】
前記特定の通信プロトコルとはＬＰＤ（Ｌｉｎｅ  Ｐｒｉｎｔｅｒ  Ｄａｅｍｏｎ）であることを特徴とする請求項１に記載の画像形成装置。
【請求項３】
前記表示手段は、印刷設定を変更するための入力画面を表示することを特徴とする請求項１、又は請求項２に記載の画像形成装置。
【発明の詳細な説明】
【技術分野】
【０００１】
本発明は特定の通信プロトコルを介して受信した印刷ジョブの印刷設定を変更するための画像形成装置に関する。
【背景技術】
【０００２】
ネットワークに接続されたコンピュータから印刷ジョブを受信して画像形成を行う画像形成装置が普及している。画像形成装置は複数の通信プロトコル、例えばＬＰＤ（Ｌｉｎｅ  Ｐｒｉｎｔｅｒ  Ｄａｅｍｏｎ）、ＩＰＰ（Ｉｎｔｅｒｎｅｔ  Ｐｒｉｎｔｉｎｇ  Ｐｒｏｔｏｃｏｌ）、ＦＴＰ（Ｆｉｌｅ  Ｔｒａｎｓｆｅｒ  Ｐｒｏｔｏｃｏｌ）等に対応しており、どの通信プロトコルを介して印刷ジョブを受信しても画像形成を行うことができる。
【０００３】
しかし、使用される通信プロトコルによっては画像形成に影響する印刷設定を行えなかったり、できたとしても一部の印刷設定しか行えなかったり、十分な印刷設定を行うことができない。例えば、ＬＰＤを使用する場合、印刷時に印刷設定を行うことができない。ＬＰＤを使用して印刷を行う場合は、画像形成装置が管理し、画像形成装置を操作して設定変更可能である印刷設定を有効にして画像形成を行う。そのため、印刷時に有効となる印刷設定は印刷時にユーザが任意に設定可能ではなく、また誰かが設定した印刷設定が有効になるため、予期せぬ印刷設定が有効となって画像形成されてしまう。
【０００４】
そこで例えばＦＴＰを介して印刷ジョブを受信した場合でも印刷設定を行うための技術が開示されている（例えば、特許文献１）。特許文献１によると、ＦＴＰを介して受信した印刷ジョブの印刷設定情報に基づいて印刷設定に関する構成ファイルを生成する。生成した構成ファイルは印刷ジョブを送信したコンピュータに提供し、コンピュータ側で印刷設定を変更することが可能となっている。
【特許文献１】特開２０００−２７６３１３号公報
【発明の開示】
【発明が解決しようとする課題】
【０００５】
しかし、上述した従来の技術では、構成ファイルを生成し、それをコンピュータに提供してコンピュータから構成ファイルの更新を行う必要があるため、コンピュータと画像形成装置間で通信を行う必要があった。
【０００６】
本発明は、上記問題点を解決するためになされたものであり、画像形成装置で印刷設定を変更することを目的とする。
【課題を解決するための手段】
【０００７】
印刷設定を変更可能である画像形成装置であって、
印刷ジョブを受信する受信手段と、
前記印刷ジョブをどの通信プロトコルを介して受信したかを判定する第一の判定手段と、
前記画像形成装置が管理する印刷設定が初期設定から変更されているか否かを判定する第二の判定手段と、
前記印刷ジョブを特定の通信プロトコルを介して受信した場合かつ前記印刷設定が初期設定から変更されている場合は前記印刷ジョブを記憶装置に格納して画像形成を開始しない非開始手段と、
画像形成を開始していないことを表示する表示手段と、
画像形成を開始する開始手段と、
を有することを特徴とする画像形成装置。
【発明の効果】
【０００８】
本発明によれば、印刷時に画像形成装置において印刷設定が可能となり、予期せぬ印刷設定が有効となって画像形成されることを防ぐことが可能となる。
【発明を実施するための最良の形態】
【０００９】
以下、本発明を実施するための最良の形態について図面を用いて説明する。
【００１０】
図１は本発明の実施の一形態に係る画像形成装置を収容するネットワークの構成を模式的に示す図である。本実施の形態では、画像形成装置としてデータ送信機能を有する複写機を説明する。
【００１１】
複写機１００１は、図１に示すように、複写機１００１と同等の機能を持つ複写機１００２、ファクシミリ装置１００３、データベース／メールサーバ１００４、クライアントコンピュータ１００５とともに、イーサネット（登録商標）などからなるＬＡＮ１００６に収容されている。また、ファクシミリ１００７とともに公衆回線１００８に収容されている。複写機１００１は、コピー機能、ファクシミリ機能を有するとともに、原稿画像を読み取り、該読み取った画像データをＬＡＮ１００６上の各装置に送信するデータ送信機能を有する。また、ＰＤＬ機能を有するので、ＬＡＮ１００６上に接続されているクライアントコンピュータ１００５から指示されたＰＤＬ画像を受信して印刷することが可能である。複写機１００１は、複写機１００１で読み取った画像や、ＬＡＮ１００６上に接続されているコンピュータから指示されたＰＤＬ画像を、ハードディスク２００４の指定したボックス領域に保存することが可能であり、ボックス領域に保存された画像を印刷することが可能になっている。
【００１２】
複写機１００１は、ＬＡＮ１００６を介して複写機１００２が読み取ったデータを受信し、受信したデータを複写機１００１内のハードディスク２００４に保存／印刷出力することが可能である。また、クライアントコンピュータ１００５とＬＡＮ１００６を介してデータベースサーバ１００４の画像を受信し、複写機１００１内に保存／印刷出力することが可能である。
【００１３】
ファクシミリ１００３は、ＬＡＮ１００６を介して複写機１００１が読み取ったデータを受信し、該受信したデータを送信することが可能である。
【００１４】
データベース／メールサーバ１００４は、ＬＡＮ１００６を介して複写機１００１が読み取ったデータを受信し、データベースに格納し、電子メールとして送信する機能を有するサーバ装置である。
【００１５】
クライアントコンピュータ１００５は、データベース／メールサーバ１００４に接続され、データベース／メールサーバ１００４から所望のデータを取得して表示することが可能であるとともに、ＬＡＮ１００６を介して複写機１００１が読み取ったデータを受信し、受信したデータを加工、編集することが可能である。
【００１６】
ファクシミリ１００７は、公衆回線１００８を介して複写機１００１が読み取ったデータを受信し、受信したデータを印刷出力することが可能である。
【００１７】
図２は、本実施例の主要部構成を示すブロック図である。
【００１８】
コントローラユニット２０００は、画像入力デバイスであるスキャナ２０７０や画像出力デバイスであるプリンタ２０９５を接続し、スキャナ２０７０で読み取られた画像データをプリンタ２０９５により印刷出力するコピー機能を実現するための制御を行うとともに、ＬＡＮ１００６や公衆回線１００７（ＷＡＮに接続することによって、画像情報やデバイス情報の入出力を行うための制御を行う。
【００１９】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げ、このＯＳ上でＨＤＤ（ハードディスクドライブ）２００４に格納されているアプリケーションプログラムを実行することによって各種処理を実行する。このＣＰＵ２００１の作業領域としてはＲＡＭ２００２が用いられる。ＲＡＭ２００２は、作業領域とともに、画像データを一時記憶するための画像メモリ領域を提供する。ＨＤＤ２００４は、上記アプリケーションプログラムとともに、画像データを格納する。
【００２０】
ＣＰＵ２００１には、システムバス２００７を介して、ＲＯＭ２００３およびＲＡＭ２００２とともに、操作部Ｉ／Ｆ（操作部インタフェース）２００６、ネットワークＩ／Ｆ（ネットワークインタフェース）２０１０、モデム２０５０およびイメージバスＩ／Ｆ（イメージインタフェース）２００５が接続されている。
【００２１】
操作部Ｉ／Ｆ２００６は、タッチパネルを有する操作部２０１２とのインタフェースであり、操作部２０１２に表示する画像データを操作部２０１２に対して出力する。また、操作部Ｉ／Ｆ２００６は、操作部２０１２においてユーザにより入力された情報をＣＰＵ２００１に送出する。
【００２２】
次に、ネットワークＩ／Ｆ２０１０は、ＬＡＮ１００６に接続され、ＬＡＮ１００６を介してＬＡＮ１００６上の各装置との間で情報の入出力を行う。モデム２０５０は、公衆回線１００７に接続され、公衆回線１００７を介して情報の入出力を行う。
【００２３】
イメージバスＩ／Ｆ２００５は、システムバス２００７と画像データを高速で転送する画像バス２００８を接続し、データ構造を変換するためのバスブリッジである。画像バス２００８は、ＰＣＩバスまたはＩＥＥＥ１３９４から構成される。画像バス２００８上には、ラスタイメージプロセッサ（以下、ＲＩＰという）２０６０、デバイスＩ／Ｆ２０２０、スキャナ画像処理部２０８０、プリンタ画像処理部２０９０、画像回転部２０３０、サムネイル作成部２０３５および画像圧縮部２０４０が設けられている。ＲＩＰ２０６０は、ＰＤＬコードをビットマップイメージに展開するプロセッサである。デバイスＩ／Ｆ２０２０には、スキャナ２０７０およびプリンタ２０９５が接続され、デバイスＩ／Ｆ２０２０は、画像データの同期系／非同期系の変換を行う。スキャナ画像処理部２０８０は、入力画像データに対し補正、加工、編集を行う。プリンタ画像処理部２０９０は、プリント出力画像データに対してプリンタの補正、解像度変換などを行う。画像回転部２０３０は、画像データの回転を行う。画像圧縮部２０４０は、多値画像データをＪＰＥＧデータに、２値画像データをＪＢＩＧ、ＭＭＲ、ＭＨなどのデータに圧縮するとともに、その伸張処理を行う。
【００２４】
図３は図１の複写機１００１のリーダ部２０７０およびプリンタ部２０９５のハードウェア構成を模式的に示す図である。
【００２５】
リーダ部２０７０とプリンタ部２０９５とは、図３に示すように、一体的に構成されている。リーダ部２０７０は、原稿給紙ユニット２５０を搭載し、原稿給紙ユニット２５０は、原稿を先頭から順に１枚ずつプラテンガラス２１１上へ給送。各原稿の読取動作が終了する毎にその原稿をプラテンガラス２１１から排出トレイ（図示せず）に排出する。リーダ部２０７０は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、ＣＣＤという）２１８に導かれ、原稿上の画像がＣＣＤ２１８の撮像面上に結像される。ＣＣＤ２１８は、撮像面に結像された画像を電気信号に変換し、この電気信号は所定の処理施された後に制御装置１１０に入力される。
【００２６】
プリンタ部２０９５は、レーザドライバ３２１を有し、レーザドライバ３２１は、制御装置１１０から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００２７】
トナー像が転写された記録紙は搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。排紙ユニット３３０は、ソート、ステイプルなどの後処理を施すことが可能なシート処理装置からなる。また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００２８】
次に、操作部２０１２の構成を図４に示す。ＬＣＤ表示部２０１３は、ＬＣＤ上にタッチパネルシートが貼られており、システムの操作画面を表示するとともに、表示してあるキーが押されるとその位置情報をコントローラＣＰＵ２００１に伝える。スタートキー２０１４は原稿画像の読み取り動作を開始する時などに用いる。スタートキー２０１４中央部には、緑と赤の２色ＬＥＤ２０１８があり、その色によってスタートキー２０１４が使える状態にあるかどうかを示す。ストップキー２０１５は稼働中の動作を止める働きをする。ＩＤキー２０１６は、使用者のユーザＩＤを入力する時に用いる。リセットキー２０１７は操作部からの設定を初期化する時に用いる。
【実施例１】
【００２９】
前記構成を持つ画像形成装置において、本発明による実施例を説明する。本実施例では、通信プロトコルとしてＬＰＲ／ＬＰＤを使用する。また、使用する印刷ジョブはＰＤＦ（Ｐｏｒｔａｂｌｅ  Ｄｏｃｕｍｅｎｔ  Ｆｏｒｍａｔ）ファイルを使用する。クライアントコンピュータ１００５からＬＰＲコマンドを使用してＰＤＦファイルを複写機１００１に対して送信するが、印刷設定は行わずＰＤＦファイルを直接送信する。以上の条件で本実施例を説明するが、これは実施の形態を限定するものではない。
【００３０】
図５に本実施の形態のフローチャートを示す。
【００３１】
Ｓ５００では、複写機１００１はＬＡＮ１００６を介して、クライアントコンピュータ１００５から送信されたＰＤＦファイルを受信する。クライアントコンピュータ１００５は図６に示すＬＰＲコマンドを使用してＰＤＦファイルを送信する。６０１はＬＰＲコマンドを表す。６０２は複写機１００１のＩＰアドレスを指定する。本実施例では、ｘｘｘ．ｘｘｘ．ｘｘｘ．ｘｘｘが指定されている。６０３は複写機１００１のキューを指定する。本実施例では、ｐｒｎが指定されている。６０４は送信するＰＤＦファイルのファイル名称を表す。本実施例では、ｔｅｓｔ１．ｐｄｆが指定されている。
【００３２】
Ｓ５１０では、複写機１００１は印刷ジョブをどの通信プロトコルを介して受信したかを判定する。また、複写機１００１が管理する印刷設定が初期設定から変更されているか否かを判定する。通信プロトコルがＬＰＤ、かつ印刷設定が変更されていたらＳ５２０に進む。それ以外ならＳ５６０に進む。本実施例では通信プロトコルがＬＰＤであり、ＬＣＤ表示部２０１３から図示されない印刷設定変更画面を操作して部数印字設定が変更されていると仮定し、Ｓ５２０に進む。
Ｓ５２０では、印刷ジョブを記憶装置に格納し、画像形成を開始しない。使用される記憶装置はＲＡＭ２００２であっても良いし、ＨＤＤ２００４であっても良い。
【００３３】
Ｓ５３０では、印刷設定変更画面を表示する。印刷設定変更画面の例を図７に示す。７０１はＬＣＤ表示部２０１３に表示される印刷設定変更画面の一例を示す。７０２はメッセージ表示欄である。本実施例では、画像形成に影響のある印刷設定が変更さていることをユーザに通知するためのメッセージを表示している。７０３は印刷設定表示欄である。本実施例では、画像形成に影響する印刷設定一覧を表示している。本実施例では、部数印字の設定が初期設定のＯＦＦからＯＮに変更されていることを表している。７０４は初期設定ボタンである。画像形成に影響する設定を初期設定に戻すために使用するボタンである。ボタン７０４を押下することにより、印刷設定を初期設定に戻すことができる。７０５は一時印刷設定変更ボタンである。一時的に印刷設定を変更したい場合に使用するボタンである。ボタン７０５を押下すると図示しない印刷設定画面が表示され、印刷設定を変更することができる。そこで設定した印刷設定は、今回の印刷のみに有効となる。７０６は恒久印刷設定変更ボタンである。恒久的に印刷設定を変更したい場合に使用するボタンである。ボタン７０６を押下すると図示しない印刷設定画面が表示され、印刷設定を変更することができる。そこで設定した印刷設定は、複写機１００１が管理する印刷設定に反映されるため、次回以降の印刷設定にも有効になる。７０７は印刷ボタンである。ボタン７０７を押下すると印刷ジョブの印刷が開始される。７０８はキャンセルボタンである。ボタン７０８を押下すると印刷ジョブがキャンセルされる。
【００３４】
Ｓ５４０では、印刷開始指示があったかを判定する。印刷開始指示があった場合はＳ５５０に進む。ボタン７０７が押下されたときにＳ５５０に進む。印刷開始指示があるまで、Ｓ５４０から先に進まない。
【００３５】
Ｓ５５０では、印刷設定を有効にして画像形成を行う。
【００３６】
Ｓ５６０では、通常の印刷ジョブ処理を行う。複写機１００１が管理する印刷設定を有効にして画像形成を行う。
【図面の簡単な説明】
【００３７】
【図１】ネットワーク構成図
【図２】主要構成を示すブロック図
【図３】ハードウェア構成図
【図４】操作部外観
【図５】実施例を説明するフローチャート
【図６】ＬＰＲコマンドの例
【図７】印刷設定変更画面の例
【図１】
2010143164.tif 000003
【図２】
2010143164.tif 000004
【図３】
2010143164.tif 000005
【図４】
2010143164.tif 000006
【図５】
2010143164.tif 000007
【図６】
2010143164.tif 000008
【図７】
2010143164.tif 000009